(57)【要約】【課題】プリンタ等に装填して裏巻きラベル巻状体のラベル連続体を使い終わる際、ラベル連続体を巻心に留めていた接着テープ等の接着片を伴うことなく、ラベル連続体を巻心より剥がすことができ、ラベル連続体の巻状体を作製するのが容易な、ラベル連続体を巻心に留める構造および該留め構造を有するラベル連続体の巻状体を提供する。【解決手段】このラベル連続体を巻心に留める構造は、複数のラベル１２が連続して剥離台紙１８の剥離面に仮着したラベル連続体１０を、ラベル１２を内側として巻心２０に留める構造において、両面に接着層３２，３４が形成された接着片３０の一方の面が、相対的に強い接着力で巻心２０の外周面に接着され、接着片３０のもう一方の面が、相対的に弱い接着力でラベル連続体１０のラベル１２が仮着した面側に接着された構造である。【選択図】      図１
2004292066.tif 000002
【特許請求の範囲】
【請求項１】
複数のラベルが連続して剥離台紙の剥離面に仮着したラベル連続体を、ラベルを内側として巻心に留める構造において、
両面に接着層が形成された接着片の一方の面が、相対的に強い接着力で巻心の外周面に接着され、
接着片のもう一方の面が、相対的に弱い接着力でラベル連続体のラベルが仮着した面側に接着された、
ラベル連続体を巻心に留める構造。
【請求項２】
複数のラベルが連続して剥離台紙の剥離面に仮着したラベル連続体を、ラベルを内側として巻心に留める構造において、
相対的に強い接着力の第１接着層と弱い接着力の第２接着層とが形成された接着片の、
前記第１接着層が巻心の外周面に接着され、
前記第２接着層がラベル連続体の最後尾近傍のラベルの面内に接着された、
ラベル連続体を巻心に留める構造。
【請求項３】
最後尾近傍のラベルが、最後尾のラベルである、請求項２に記載のラベル連続体を巻心に留める構造。
【請求項４】
接着片が接着されるラベルにおけるラベル連続体の終端側の反対側たる前側の端縁と、接着片におけるラベル連続体の終端側の反対側たる前側に位置する端縁とがほぼ一致しないように、接着片の第２接着層がラベルの面内に接着された、請求項２または請求項３に記載のラベル連続体を巻心に留める構造。
【請求項５】
接着片が接着されるラベルにおけるラベル連続体の終端側たる後側の端縁近傍のラベル面内に第２接着層が接着された、請求項２ないし請求項４のいずれかに記載のラベル連続体を巻心に留める構造。
【請求項６】
請求項２ないし請求項５の留め構造を有するラベル連続体の巻状体において、
巻心に留められているラベルの直前のラベルが剥がされてラベルが仮着されていない部位が、少なくともラベル一枚分だけ剥離台紙に形成された、ラベル連続体の巻状体。
【請求項７】
接着片のもう一方の面が接着する面を剥離台紙の剥離面とすることによって、相対的に弱い接着力で接着片とラベル連続体とが接着された、請求項１に記載のラベル連続体を巻心に留める構造。
【発明の詳細な説明】
【０００１】
【発明の属する技術分野】
この発明は、ラベルを巻心に留める構造及びラベル連続体の巻状体に関し、特に、例えば、長尺状の剥離台紙にラベルが複数適宜な間隔をおいて仮着されたラベル連続体を巻心に留める構造に関する。
【０００２】
【従来の技術】
従来のラベル連続体の巻心へ留める構造は、特開２００１−１６３４９０において示されるように、両面に、接着強度が相対的に異なる接着面を有する接着片を用いて、複数枚のラベルが剥離台紙に仮着したラベル連続体において、剥離台紙の剥離処理されていない面と接着片の接着強度の相対的に弱い接着面（弱接着面）とを接着し、そして、巻心と接着片の相対的に接着強度の強い面（強接着面）とを接着するように形成されている。そして、従来のラベル連続体の巻心へ留める構造によれば、プリンタに装填してラベル連続体を使い終わる際、プリンタの走行異常を生起せしめるほど異常に走行テンションを上昇させることなく、巻心からラベル連続体を接着片を伴わずに剥がすことができ、また、ラベル連続体を巻き込んで巻状体を作製する際には、巻き込み始めるときのテンションが、ラベル連続体が巻心から剥がれないように設定してあるので、ラベル連続体が巻心から剥がれることなくラベルを巻き込むことができる。この場合、ラベル表面が外側に向くように巻かれており、このような巻状体は、表巻きラベルと呼ばれている。
【０００３】
【特許文献１】
特開２００１−１６３４９０公報
【０００４】
【発明が解決しようとする課題】
一方、ラベル表面が内側（巻心側）に向くように巻かれた裏巻きラベルにこの考え方を適用して、両面に接着強度の相対的に異なる接着片をもって、ラベル連続体を構成する剥離台紙のラベルが仮着されている面、すなわち、剥離台紙の剥離処理されている面（剥離面）と巻心とを、接着片の弱接着面を剥離台紙の剥離面に、そして接着片の強接着面を巻心の外表面に接着して接合すると、ラベル巻状体を作製する際において、ラベル連続体が、剥離台紙と接着片との間で剥がれやすく、ラベル連続体の巻状体を作製するのが難しい。
この発明は、ラベル連続体の裏巻きラベル巻状体において、前記課題を解決するためになされたものである。
【０００５】
それゆえに、この発明の主たる目的は、プリンタ等に装填して裏巻きラベル巻状体のラベル連続体を使い終わる際、ラベル連続体を巻心に留めていた接着テープ等の接着片を伴うことなく、ラベル連続体を巻心より剥がすことができ、ラベル連続体の巻状体を作製するのが容易な、ラベル連続体を巻心に留める構造および該留め構造を有するラベル連続体の巻状体を提供することである。
【０００６】
【課題を解決するための手段】
この発明にかかる請求項１に記載のラベル連続体を巻心に留める構造は、複数のラベルが連続して剥離台紙の剥離面に仮着したラベル連続体を、ラベルを内側として巻心に留める構造において、両面に接着層が形成された接着片の一方の面が、相対的に強い接着力で巻心の外周面に接着され、接着片のもう一方の面が、相対的に弱い接着力でラベル連続体のラベルが仮着した面側に接着された、ラベル連続体を巻心に留める構造である。
この発明にかかる請求項２に記載のラベル連続体を巻心に留める構造は、複数のラベルが連続して剥離台紙の剥離面に仮着したラベル連続体を、ラベルを内側として巻心に留める構造において、相対的に強い接着力の第１接着層と弱い接着力の第２接着層とが形成された接着片の、第１接着層が巻心の外周面に接着され、第２接着層がラベル連続体の最後尾近傍のラベルの面内に接着された、ラベル連続体を巻心に留める構造である。
この発明にかかる請求項３に記載のラベル連続体を巻心に留める構造は、最後尾近傍のラベルが、最後尾のラベルである、請求項２に記載のラベル連続体を巻心に留める構造である。
この発明にかかる請求項４に記載のラベル連続体を巻心に留める構造は、接着片が接着されるラベルにおけるラベル連続体の終端側の反対側たる前側の端縁と、接着片におけるラベル連続体の終端側の反対側たる前側に位置する端縁とがほぼ一致しないように、接着片の第２接着層がラベルの面内に接着された、請求項２または請求項３に記載のラベル連続体を巻心に留める構造である。
この発明にかかる請求項５に記載のラベル連続体を巻心に留める構造は、接着片が接着されるラベルにおけるラベル連続体の終端側たる後側の端縁近傍のラベル面内に第２接着層が接着された、請求項２ないし請求項４のいずれかに記載のラベル連続体を巻心に留める構造である。
この発明にかかる請求項６に記載のラベル連続体の巻状体は、請求項２ないし請求項５の留め構造を有するラベル連続体の巻状体において、巻心に留められているラベルの直前のラベルが剥がされてラベルが仮着されていない部位が、少なくともラベル一枚分だけ剥離台紙に形成された、ラベル連続体の巻状体である。この発明にかかる請求項７に記載のラベル連続体を巻心に留める構造は、接着片のもう一方の面が接着する面を剥離台紙の剥離面とすることによって、相対的に弱い接着力で接着片とラベル連続体とが接着された、請求項１に記載のラベル連続体を巻心に留める構造である。
【０００７】
［作用・効果］
この発明によれば、接着片の強接着面を巻心に接着するとともに、接着片の弱接着面を剥離台紙に仮着しているラベルに、ラベルからはみ出すことなく接着することによって、プリンタに装填したラベル連続体の巻状体を使い終わる際に、巻心からラベル連続体を、接着片を伴わずに剥がすことができ、且つ、ラベル連続体を巻き込んで巻状体を作製する際、ラベル連続体が巻心から剥がれることなくラベルを巻き込むことができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の一実施の形態である巻心に留められたラベル連続体の斜視図解図であり、図２は、その断面図解図である。図３は、ラベル連続体が巻心に接着片で接着された状態を示す平面図解図である。図４は、接着片を示す図解図であり、（Ａ）は、接着片の作製過程を示す斜視図解図であり、（Ｂ）は、接着片の斜視図解図である。図５は、ラベル連続体が巻心より剥がされた状態を示す断面図解図である。
このラベル連続体１０は、複数のラベル１２が適宜な間隔をおいてラベル１２を構成する方形のラベル基材１４の裏面に形成された粘着剤層１６の粘着力により、剥離台紙１８の剥離面（例えば、シリコーン塗布面）１８ａに仮着されてなる。
そして、このラベル連続体１０は、剥離台紙１８に仮着されたラベル１２を内側、すなわち巻心２０側として巻心２０に留められ、巻心２０の外周面に巻き重ねられた裏巻きの巻状体に形成されている。
【００１０】
ラベル連続体１０は、それを構成する長尺状の剥離台紙１８に仮着されたラベル１２のうち、最後端のラベル１２ａの後側の端部近傍において、巻心２０の外側面に接着片３０によって留められている。
接着片３０は、一方の面に相対的に強い接着力の第１接着層３２と、もう一方の面に相対的に弱い接着力の第２接着層３４とを備える。接着片３０は、例えば、図４において示されるように、次のように作製される。
剥離台紙１００の剥離面（例えば、シリコーン塗布面）に相対的に強い接着力の粘着剤を塗布することによって第１接着層１３２を形成し、第１接着層１３２上に心材１３６を積層する。
剥離台紙１００とは別の剥離紙１０２の剥離面（例えば、シリコーン塗布面）に相対的に弱い接着力の粘着剤を塗布することによって、第２接着層１３４を形成する。
そして、剥離台紙１００の心材１３６側と剥離紙１０２の第２接着層１３４側とを対向積層する。次いで、剥離紙１０２側から剥離台紙１００を残して、剥離紙１０２、第２接着層１３４、心材１３６、第１接着層１３２をダイカットし、不要部１０４をカス上げして、図４（Ｂ）において示すように、剥離台紙１００上に剥離紙１０２が仮着した第１接着層３２、心材３６、第２接着層３４を備えた接着片３０が形成される。
この接着片３０を剥離台紙１００から剥がして、第１接着層３２をもって、巻心２０の外表面に接着し、該接着片３０から剥離紙１０２を剥がし取り、第２接着層３４をもって、ラベル連続体１０の最後端のラベル１２ａに接着する。
【００１１】
第１接着層３２は、ＪＩＳ  Ｚ０２３７の１８０度引き剥がし法で得られた粘着力が、３．１Ｎ／１０ｍｍ以上が好ましく、より好ましくは、３．９Ｎ／１０ｍｍ以上である。このような粘着力（接着強度）の接着層を採用すれば、後述の第２接着層３４に対して、十分に強い接着強度が得られる。第１接着層３２の粘着力の上限を設ける必要はないが、１２Ｎ／１０ｍｍ程度を超えて、さらに粘着力を上げても、さらなるメリットは見出しがたい。
第２接着層３４は、ＪＩＳ  Ｚ０２３７の１８０度引き剥がし法で得られた粘着力が、２．４Ｎ／１０ｍｍ以下が好ましく、より好ましくは２．０Ｎ／１０ｍｍ以下である。このような粘着力（接着強度）の接着層を採用すれば、第１接着層３２に対して、十分に弱い接着強度が得られる。そして、ラベル連続体１０をプリンタに装填して使い終わるとき、ラベル１２が接着片３０から確実に剥がれる。第２接着層３４の粘着力の下限は、ラベル連続体１０を巻心に巻き込んで作製するとき、特にラベル連続体１０を巻き込み始める際に剥がれにくくするため、０．２Ｎ／１０ｍｍ程度以上であることが好ましい。
【００１２】
接着片３０は、図４に示すように、巻心２０の円周方向に延びるように形成された直線状の短辺３８と巻心２０の幅方向に延びるように形成された直線状の長辺４０とを備えた平面方形である。
接着片３０は、その幅方向（その短辺）を巻心２０の円周方向とほぼ平行に且つその長さ方向（その長辺）を巻心２０の幅方向にほぼ平行にして、巻心２０の外周面に第１接着層３２により接着するとともに、ラベル連続体１０のラベル１２のうち、最後尾のラベル１２ａの後側（ラベル連続体１０の後端側、即ち巻心２０に接する側の終端側）の端部近傍における表面に、第２接着層３４により接着される。
【００１３】
巻心２０は、紙管またはプラスチック管等により形成された円管状で、その両口縁、すなわち、口縁２２および口縁２４とが、平行に形成されている。
【００１４】
そして、接着片３０は、図３で示すように、その短辺３８が巻心２０の口縁２２および口縁２４とほぼ平行となるように、巻心２０の外表面に第１接着層３２により接着される。
さらに、接着片３０は、ラベル連続体１０の最後尾（最終端）のラベル１２ａの後側の端縁に、接着片３０の一方側の長辺４０をほぼ一致させ、且つ、接着片３０の短辺３８がラベル１２の後側の端縁より内側（前側）に向かって剥離台紙１８の左右端縁とほぼ平行に延びるように、第２接着層３４によってラベル１２の表面に接着されている。
なお、図２、図５および図６に示されているように、接着片３０が接着されたラベル１２ａの直前のラベル１２ｂを、好ましくは１枚剥がすことが好ましい。ラベル１２ｂが欠落していると、ラベル連続体１０の最終であることが、ラベル１２にプリントするプリンタに認識されるからである。また、このようにラベル１２ｂが欠落していると、たとえラベル連続体１０が巻心２０から剥がれなくとも、プリンタの走行異常をきたすほどテンションが上昇することを抑制する効果も期待できる。
【００１５】
そして、ラベル連続体１０を巻心２０の外周面に巻回させて裏巻きの巻状体とし、ラベル連続体１０の前端をプリンタの走行系の引っ張り力で引き、ラベル連続体１０を巻き戻して最後尾末端近傍まで巻き戻されたとき、ラベル連続体１０は巻心２０より剥がされ、接着片３０が巻心２０に残存する（図５図示）。
【００１６】
ラベル連続体１０の剥離台紙１８に仮着されたラベル１２の表面、すなわちラベル基材１４の粘着剤層１６側とは反対側の表面と、巻心２０の外周面とを接着片３０によって接着することによって、ラベル連続体１０は、図６に示すように、巻心２０に留められるとともに、巻心２０の外周面の外側にラベル１２を内側として巻き重ねられる。
【００１７】
（実施例１）
剥離台紙の剥離面側に第１接着層を形成する粘着剤として、強接着タイプのアクリル系粘着剤を１４ｇ／ｍ２塗布し、心材を積層した。また、剥離台紙とは別の剥離紙の剥離面側に第２接着層を形成する粘着剤として、再剥離タイプのアクリル系粘着剤を１８ｇ／ｍ２塗布した。剥離台紙に積層した積層体の剥離台紙側とは反対側の面と剥離紙に積層した積層体の剥離紙側とは反対側の面を対向積層した積層体を形成し、該積層体を剥離紙側から剥離台紙を残してダイカットし、不要部をカス上げして長辺２２ｍｍ、短辺１３ｍｍの平面方形の接着片を得た。第１接着層の剥離力は、ＪＩＳ  Ｚ０２３７の１８０度引き剥がし法によれば、７．４Ｎ／１０ｍｍであり、第２接着層の剥離力は、ＪＩＳ  Ｚ０２３７の１８０度引き剥がし法によれば、０．８Ｎ／１０ｍｍである。
【００１８】
ラベル連続体として、複数のラベルが適宜な間隔をおいて、ラベルを構成するラベル基材の裏面に形成された粘着剤層の粘着力により、剥離台紙の剥離面に仮着されてなるものを準備する。
剥離台紙として、坪量６４ｇ／ｍ２のグラシン紙の表面にシリコーン塗布面（剥離面）が形成され、剥離面と反対側の面には、剥離処理が施されていないものを準備した。
巻心として、表面がクラフト紙により形成された直径（内径）７６ｍｍ、肉厚５ｍｍ、幅６２ｍｍの円管状の紙管を準備した。
【００１９】
剥離紙付きの接着片を剥離台紙より剥がして、接着片の第１接着層を巻心の外表面に接着するとともに、ラベル連続体の最終端のラベル１２ａ表面に、接着片から剥離紙を剥がして接着片の第２接着層を接着することによって、ラベル連続体を巻心に留めた。
接着片は、ラベル連続体の最終端のラベル、すなわち、巻心に巻き重ねられた最終のラベル１２ａのラベル連続体の終端側（後側）の端縁に、接着片の一方の長辺をほぼ一致させ、且つ、接着片の短辺がラベルの後側端縁より前側に向かって剥離台紙の左右端縁とほぼ平行に延びるように、第１接着層によって巻心に、そして第２接着層によってラベルの表面（ラベル基材の表面）に接着されている。
【００２０】
そして、ラベル連続体を巻心の外周面に巻回させて巻状体とし、ラベル連続体の前端をプリンタの走行系の引っ張り力で引き、巻き戻して最後尾末端近傍まで巻き戻されたとき、ラベル連続体は巻心より剥がされ、ラベルは剥離台紙に残存し、接着片が巻心に残存した（図５図示）。
【００２１】
この実施の形態では、剥離台紙１８の内側（剥離面側）に仮着されている最終のラベル１２ａの表面であって、その後側の端縁と接着片３０の一方の長辺４０をほぼ一致させ、且つ、接着片３０の短辺３８が剥離台紙１８に仮着された最終のラベル１２ａの後側の端縁より前側（ラベル繰り出し側）に向って剥離台紙１８の幅方向端縁とほぼ平行に延びるような位置に接着片３０を配置し、剥離台紙１８上に仮着したラベル１２ａと巻心２０とを接着したが、剥離台紙１８に仮着された最終のラベル１２ａの後側の端縁より前側に接着片３０の一方の長辺４０を置き、もう一方の長辺４０は一方の長辺４０よりさらにラベル１２ａの前側に配置するようにして、剥離台紙１８上のラベル１２ａと巻心２０とを接着してもよい。
接着片３０の長辺４０を剥離台紙１８の幅方向の端縁とほぼ平行になるように配置してもよい。
ただし、ラベル連続体の後端（終端）側とは反対側（前側）に接着片３０がラベル１２からはみ出して接着した場合や、図７に示すように、ラベル１２ａから接着片３０がはみ出さなくてもラベル１２ａの前側の端縁と接着片３０の前側に位置する辺がほぼ一致して接着した場合には、ラベル１２にある角度で引き剥がす力が働き、ラベル１２ａが容易に剥がれてしまうおそれがある。したがって、ラベル連続体１０を巻心２０に巻き込み、ラベル連続体１０の巻状体を作製する際、接着片３０が貼付されたラベル１２ａごと、ラベル連続体１０から剥がれてしまい、ラベル連続体１０を作製できなくなるおそれがある。
また、ラベル連続体１０の巻状体を作製できても、その巻状体をプリンタに装填して使い終わるとき、接着片３０を伴ってラベル１２ａが剥がれるおそれがある。
上述のように、接着片３０が、ラベル連続体の後端（終端）側とは反対方向（前側）のラベル１２端縁と接着片３０のラベル連続体の後端（終端）側とは反対側（前側）に位置する辺がほぼ一致し接着される場合を除いて、ラベル１２ａ周縁からはみ出さずに接着されていれば、ラベル１２ａの特に前側の端縁に、ある角度で引き剥がす力が働きにくく、そしてラベル１２ａの剥離台紙１８上における垂直抗力（垂直方向の剥離力に対抗する接着力）やずり抗力（ラベル面に平行方向の剥離力に対抗する接着力）は十分に大きいので、ラベル巻状体を作製する際に、ラベル連続体１０が剥がれるおそれがない。また、使用時に接着片３０を伴ってラベル１２ａが剥がれるおそれもない。
特に、接着片３０は、図６に示すように、ラベル１２のラベル連続体１０の終端側の端縁近傍にあることが好ましい。このような構成とすれば、巻心２０への接着部分より終端側のラベル連続体１０の端縁がめくれ上がって巻き込まれることもない。
また、接着片３０は、剥離台紙１８の幅方向のほぼ中央で、巻心２０の外表面の幅方向のほぼ中央の位置に配置して接着することが好ましい。
【００２２】
この発明は、接着されるラベルについて、前記実施の形態に限定されるものではなく、巻心２０に最も近いラベル１２ａでなく、ラベル連続体１０の最後尾末端近傍の別のラベル１２、例えば巻心２０に最も近いラベル１２ａの一つ前のラベル１２に接着片３０を接着することもできる。この場合も、ラベル１２と接着片３０と巻心２０とが、ラベル１２ａにおける場合と同様に配置されて接着される。また、接着片３０が接着された一つ前（直前）のラベル１２は、剥がすことが好ましい。
【００２３】
また、接着片３０の短辺３８または長辺４０を剥離台紙１８の幅方向の端縁と直交する方向、つまり巻心２０の幅方向とほぼ平行になるように配置しなくともよい。
そして、ラベルの形状は、方形に限られるものではなく、例えば、円形でも楕円形でも六角形でもよい。ただし、ラベルからはみ出さないように接着することに留意すべきである。
なお、ラベル連続体を巻心に留める接着片は一つに限定されないが、コスト，作業効率等から一つが好ましい。
【００２４】
この発明のさらに別の実施の形態について記載する。
接着片として、両面にほぼ同等の粘着力をもつ接着層、すなわち、好ましくは、ＪＩＳ  Ｚ０２３７の１８０度引き剥がし法で得られた粘着力が、３．１Ｎ／１０ｍｍ以上、より好ましくは、３．９Ｎ／１０ｍｍ以上の接着層を形成した接着片を準備し、この接着片を、巻心とラベルが仮着される剥離台紙の剥離面に接着する。
接着片を接着するために、ラベル連続体の最後尾近傍のラベルを剥がす等、接着片を接着するスペースを剥離台紙に用意する。
そして、接着片の一方の接着層を巻心の外表面に、もう一方の接着層をラベル連続体の最後尾端部近傍の剥離台紙の剥離面に接着する。
このような構成とすることで、剥離台紙の接着片が接着される剥離面は、剥離処理されているので、相対的に接着強度が弱く、巻心の外表面は剥離処理されていないので、相対的に接着強度が強く、プリンタで本ラベル連続体の巻状体を使い終わる際、接着片を伴うことなく、ラベル連続体の剥離台紙が巻心から確実に剥がれる。
【００２５】
以上記載したように、この発明のラベル連続体を裏巻きして巻心に留める構造においては、両面に接着層を設けた適宜な所定の大きさの接着片を準備し、この接着片の全面をもって、ラベル連続体のラベルが仮着されている側と巻心の外表面とに接着するので、それぞれの接着層による接着強度のばらつきを少なくでき、且つ二つの接着層による接着強度を異ならせ、ラベル連続体側の接着強度が巻心側の接着強度より弱く構成されているので、ラベル連続体の巻状体を使い終わる際、接着片を伴わずに、ラベル連続体の剥離台紙を巻心から確実に剥がすことができる。これにより、裏巻きラベルにおいて課題であったプリンタの走行系におけるトラブルが大幅に減少する。
さらに、ラベル連続体の巻状体の作製においても、巻心にラベルを巻き入れる際に、ラベル連続体が巻心から剥がれてしまうというトラブルも防止できる。
【図面の簡単な説明】
【図１】この発明の一実施の形態である巻心に留められたラベル連続体の斜視図解図である。
【図２】図１図示ラベル連続体の断面図解図である。
【図３】ラベル連続体が巻心に接着片で接着された状態を示す平面図解図である。
【図４】接着片を示す図解図であり、（Ａ）は、接着片の作製過程を示す斜視図解図であり、（Ｂ）は、接着片の斜視図解図である。
【図５】ラベル連続体が巻心より剥がされた状態を示す断面図解図である。
【図６】ラベル連続体を巻心に留める一例の構造を示す断面図解図である。
【図７】ラベルを巻心に留める好ましくない例の構造を示す断面図解図である。
【符号の説明】
１０  ラベル連続体
１２  １２ａ  １２ｂ  ラベル
１４  ラベル基材
１６  粘着剤層
１８  剥離台紙
１８ａ  剥離面
２０  巻心
２２  ２４  口縁
３０  接着片
３２  第１接着層
３４  第２接着層
３６  心材
３８  短辺
４０  長辺
１００  剥離台紙
１０２  剥離紙
１０４  不要部
１３２  第１接着層
１３４  第２接着層
１３６  心材
【図１】
2004292066.tif 000003
【図２】
2004292066.tif 000004
【図３】
2004292066.tif 000005
【図４】
2004292066.tif 000006
【図５】
2004292066.tif 000007
【図６】
2004292066.tif 000008
【図７】
2004292066.tif 000009